(57)【要約】【課題】基板上の電気部品の温度上昇を抑制し、縦配置又は横配置が容易にできる表示装置を提供する。【解決手段】本体５６と、前記本体５６内の前面側に固定され、入力された映像信号により表示される液晶パネル１７と、前記本体５６内の後面側に固定され前記本体５６を補強する複数の補強板３３，３４と、各補強板３３，３４により囲まれた部屋の一部に設けられた冷却用ファン４４，４６と、前記部屋の他部に設けられ、前記映像信号用の制御基板９，１２，２０及び／又は電源基板２３，２４とを具備した。更に、前記液晶パネル１７のバックライトを駆動するインバータを設け、前記インバータの一部分又は全部を、前記部屋の他部に配置した。【選択図】        図２
2004246102.tif 000002
【特許請求の範囲】
【請求項１】
本体と、前記本体内の前面側に固定され、入力された映像信号により表示される液晶パネルと、前記本体内の後面側に固定され、前記本体を補強する複数の補強板と、各補強板により囲まれた部屋の一部に設けられた冷却用ファンと、前記部屋の他部に設けられ、前記映像信号用の制御基板及び／又は電源基板とを具備した事を特徴とする表示装置。
【請求項２】
前記液晶パネルのバックライトを駆動するインバータを設け前記インバータの一部分又は全部を、前記部屋の他部に配置した事を特徴とする請求項１の表示装置。
【請求項３】
前記本体は、フレームと、ケーシングと、後板とにより構成され、前記フレームは、前面側と後面側が開放した枠状に形成され、前記補強板は前記フレームの相対する辺に、後面側で固定され、前記補強板より前面側に位置する前記液晶パネルは、前記フレームの辺に、前面側で固定され、前記ケーシングは、前記フレームおよび前記液晶パネルを覆う様に設けられ、前記後板は前記ケーシングの開放された後面側に固定された事を特徴とする請求項１の表示装置。
【請求項４】
前記補強板に複数の取付孔を設け、又は、複数の取付孔が形成された取付板を前記補強板に取付け、複数の締結部品が壁板に形成された複数の孔に選択して貫通され、前記取付孔に締結される事により、前記表示装置は、縦配置又は横配置できる様に構成された事を特徴とする請求項１の表示装置。
【請求項５】
前記制御基板及び／又は前記電源基板は、前記冷却用ファンよりも前面側に配置され、前記冷却用ファンは前面側から空気を吸込み、後面側へ空気を吐出する事を特徴とする請求項１の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１によると、本体と、本体の前面側に設けられた液晶パネルと、本体の後面側に設けられた基板とが示されている。
【０００３】
【特許文献１】
特開平９−１７２５９１号公報
【０００４】
【発明が解決しようとする課題】
しかし、上記表示装置を大型化した場合、冷却用ファンを設ける必要があるが基板を収納している部屋を仕切っていないため、基板に触れる空気量が少なく、冷却効率が悪い、第１の欠点がある。更に、ユーザの希望により、表示装置を縦配置又は横配置する事があるが、上記装置では、この様な配置を考慮していない第２の欠点がある。
【０００５】
故に、本発明はこの様な従来の欠点を考慮して、基板上の電気部品の温度上昇を抑制し、縦配置又は横配置が容易にできる表示装置を提供する。
【０００６】
【課題を解決するための手段】
上記課題を解決するために、請求項１の本発明では、本体と、前記本体内の前面側に固定され、入力された映像信号により表示される液晶パネルと、前記本体内の後面側に固定され、前記本体を補強する複数の補強板と、各補強板により囲まれた部屋の一部に設けられた冷却用ファンと、前記部屋の他部に設けられ、前記映像信号用の制御基板及び／又は電源基板とを具備した。
【０００７】
請求項２の本発明では、前記液晶パネルのバックライトを駆動するインバータを設け前記インバータの一部分又は全部を、前記部屋の他部に配置した。
【０００８】
請求項３の本発明では、前記本体は、フレームと、ケーシングと、後板とにより構成され、前記フレームは、前面側と後面側が開放した枠状に形成され、前記補強板は前記フレームの相対する辺に、後面側で固定され、前記補強板より前面側に位置する前記液晶パネルは、前記フレームの辺に、前面側で固定され、前記ケーシングは、前記フレームおよび前記液晶パネルを覆う様に設けられ、前記後板は前記ケーシングの開放された後面側に固定された。
【０００９】
請求項４の本発明では、前記補強板に複数の取付孔を設け、又は、複数の取付孔が形成された取付板を前記補強板に取付け、複数の締結部品が壁板に形成された複数の孔に選択して貫通され、前記取付孔に締結される事により、前記表示装置は、縦配置又は横配置できる様に構成された。
【００１０】
請求項５の本発明では、前記制御基板及び／又は前記電源基板は、前記冷却用ファンよりも前面側に配置され、前記冷却用ファンは前面側から空気を吸込み、後面側へ空気を吐出する。
【００１１】
【発明の実施の形態】
最初に、図１のブロック図に従い、本発明の実施の形態に係る表装置１の電気的構成を説明する。
【００１２】
図１において、入力手段２はコネクタ等からなり、例えば、ＤＶＤプレイヤに接続され、映像信号が入力される。入力手段２はこの映像信号から画像信号Ｒ，Ｇ，Ｂと、同期信号ＨＤ／ＣＳＹＮＣ，ＶＤを出力する。
【００１３】
Ｄ端子はＤＶＤプレイヤに接続され、高品質映像信号ＹＰｂＰｒを出力する。端子４は、コンポジットビデオ信号ＣＶＢＳを出力し、端子５は色信号Ｙ／Ｃ等を出力する。
【００１４】
セレクタ６は、コントロール回路７からの制御信号により、上記映像信号Ｒ，Ｇ，Ｂ又は高品質映像信号ＹＰｂＰｒを選択し、その選択した映像信号を、ビデオデコーダ８へ出力する。このセレクタ６と、コントロール回路等により、コンポーネント基板（制御基板）９は構成されている。
【００１５】
ビデオデコーダ８には、コンポジット信号ＣＶＢＳと、色信号Ｙ／Ｃと、選択された映像信号と、同期信号ＨＤ／ＣＳＹＮＣ等が入力される。ビデオデコーダ８は、符号化されたデータを、元のデータに戻し、ＡＤ変換器を内臓している。
【００１６】
ディンタレーサ１０は、ビデオデコーダ８が出力するＯＤＤ信号と、ＥＶＥＮ信号を合成するものであり、その合成信号をスケーリングチップ１１へ出力する。これらのビデオデコーダ８と、ディンタレーサ１０等により、ビデオ基板（制御基板）１２は構成されている。
【００１７】
入力手段１３は、コネクタ等からなり、パソコンに接続され、映像信号が入力されると、入力手段１３は、この映像信号から、画像信号Ｒ，Ｇ，Ｂと、同期信号ＨＤ，ＶＤを、セレクタ１４へ出力する。
【００１８】
ＡＤ変換器１５は、セレクタ１４からの入力を、ディジタル値に変換し、スケーリングチップ１１へ出力する。スケーリングチップ１１は、入力されたディジタル値を、所望の画像サイズに変換し、出力転送器１６へ出力する。
【００１９】
出力転送器１６は、液晶パネル１７に対し、所望の画像データを出力する。これらのセレクタ１４と、ＡＤ変換器１５と、スケーリングチップ１６と、ＤＣＤＣコンバータ１８と、冷却用ファンの制御回路１９等により、メイン基板（制御基板）２０が構成されている。液晶パネル１７は、液晶表示器と、複数のバックライト（共に図示せず）から構成されている。
【００２０】
プラグ２１の出力側は、コネクタ回路２２を介して、電源基板２３，２４に接続されている。電源基板２３，２４はトランスや整流回路等からなり、所定の電圧に設定された直流電圧を供給するものである。
【００２１】
電源基板２３は例えば、コンポーネント基板９と、ビデオ基板１２と、メイン基板２０と、インバータ２５へ、直流電圧を供給する。電源基板２４は例えばインバータ２６へ出力する。
【００２２】
インバータ２５，２６は、液晶パネル１７の各バックライトを駆動するものである。以上の部品により、この表示装置１の電気的構成はなされている。
【００２３】
次に、図１ないし図３に従い、この表示装置１の機械的構成を説明する。図２は、後板を部分的に外した時の斜視図である。図３は、横配置した時の断面図である。
【００２４】
これらの図において、フレーム板２７は、例えばステンレス板からなり、後面側Ａの適所に、折り曲げ部が形成され、折り曲げ部には、ネジ切りされた孔が形成されている。
【００２５】
同様に、フレーム板２８，２９，３０は例えばステンレス板からなり、後面側Ａの適所に、各折り曲げ部が形成され、各折り曲げ部には、ネジ切りされた各孔が形成されている。
【００２６】
４個の金具３１はＬ字状に形成され、フレーム板２７，２８，２９，３０の各コーナに配置され、ボルトにより固定されている。このフレーム板２７，２８，２９，３０と金具３１等により、フレーム３２は構成されている。フレーム３２は、前面側Ｂと後面側Ａが開放した枠状に形成されている。
【００２７】
補強板３３，３４は例えば、アルミニュームの押し出し材からなり、略直方体状に形成されている。補強板３３，３４の一端面は、フレーム板２７の内面に当接している。
【００２８】
金具３５，３６は例えばＬ字状に形成され、補強板３３とフレーム板２７のコーナに配置され、ボルトにより、補強板３３およびフレーム板２７に固定されている。
【００２９】
また、補強板３３の他の端面は、フレーム板２９の内面に当接している。２個の金具（図示せず）は、Ｌ字状に形成され、補強板３３とフレーム板２９のコーナに配置され、ボルトにより、補強板３３およびフレーム板２９に固定されている。
【００３０】
同様に、金具３７，３８はＬ字状に形成され、補強板３４とフレーム板２７のコーナに配置され、ボルトにより、補強板３４およびフレーム板２７に固定されている。
【００３１】
また、補強板３４の他の端面は、フレーム２９の内面に当接している。２個の金具（図示せず）はＬ字状に形成され、補強板３４とフレーム板２９のコーナに配置され、ボルトにより、補強板３４およびフレーム板２９に固定されている。
【００３２】
この様に、補強板３３，３４は、フレーム３２の相対する辺に、後面側Ａで固定されている。
【００３３】
４個の取付板３９ａ，３９ｂ，３９ｃ，３９ｄは例えばＬ字状に形成され、各取付板３９ａ，３９ｂ，３９ｃ，３９ｄは、複数の（例えば、各々３個の）ネジ切りされた孔４０ａ，４０ｂ，４０ｃ，４０ｄが形成されている。
【００３４】
２個の取付板３９ａ，３９ｂは、補強板３３の側面に対し、ボルトにより固定されている。また、２個の取付板３９ｃ，３９ｄは、補強板３４の側面に対し、ボルトにより固定されている。また、必要に応じて、補強板３３の上面に、複数のネジ切りされた取付孔（図示せず）を設けても良い。
【００３５】
補強部４１は例えば、アルミニュームの押し出し材からなり、フレーム板２８とフレーム板３０に固定されている。
【００３６】
支持板４２の左端はボルトにより、補強板３４の側面に固定され、右端はボルトにより、取付台４３に固定されている。
【００３７】
冷却ファン４４は例えば、ファンと、ファンケーシングと、モータ等により構成されている。冷却用ファン４４は、支持板４２よりも前面側Ｂに位置する様に支持板４２に固定されている。上記ファンより後面側Ａに位置する様に、支持板４２には、開口部が形成されている。
【００３８】
支持板４５の左端はボルトにより、取付台４３に固定され、右端はボルトにより、補強板３３の側面に固定されている。
【００３９】
冷却ファン４６は例えば、ファンと、ファンケーシングと、モータ等により構成されている。冷却用ファン４６は、支持板４５よりも前面側Ｂに位置する様に支持板４５に固定されている。上記ファンより後面側Ａに位置する様に、支持板４５には、開口部が形成されている。
【００４０】
この様に、冷却用ファン４４，４６は、前面側Ｂから空気を吸込み、後面側Ａへ空気を吐出する様に、設けられている。
【００４１】
支持板４７の左端はボルトにより、補強板３４の側面に固定され、右端はボルトにより、取付板４３に固定されている。支持板４７の載置面は、支持板４２よりも前面側Ｂに位置する様に設けられている。電源基板２３はボルトにより、支持板４７の載置面に固定されている。
【００４２】
支持板４８の左端はボルトにより、取付台４３に固定され、右端はボルトにより、補強板３３の側面に固定されている。支持板４８の載置面は、支持板４２よりも前面側Ｂに位置する様に設けられている。電源基板２４はボルトにより、支持板４８の載置面に固定されている。
【００４３】
支持板４９の左端はボルトにより、補強板３４の側面に固定され、右端はボルトにより、補強板３３の側面に固定されている。支持板４９の載置面は、支持板４２よりも前面側Ｂに位置する様に設けられている。ビデオ基板１２と、メイン基板２０はボルトにより、支持板４９の載置面に固定されている。
【００４４】
コンポーネント基板９は、支持板４９よりも、前面側Ｂに位置する様に固定されている。コネクタ基板２２は支持板４９よりも、後面側Ａに位置する様に固定されている。この様に、制御基板（コンポーネント基板９と、ビデオ基板１２とメイン基板２０）および電源基板２３，２４は、冷却用ファン４４，４６よりも前面側Ｂに配置されている。
【００４５】
また、上記説明と異なり、表示装置が制御基板又は電源基板を有するものであれば、制御基板又は電源基板は、冷却用ファン４４，４６よりも、前面側Ｂに配置される。インバータ２５，２６は、冷却用ファン４４，４６よりも、前面側Ｂに位置する様に配置されている。
【００４６】
液晶パネル１７は例えば、４０インチの液晶表示器と、複数のバックライト等から構成されその外形は略直方体である。液晶パネル１７は、補強板３３，３４よりも前面側Ｂに位置する様に、ボルト等により、フレーム３２の辺に、前面側Ｂにて固定されている。液晶パネル１７の前面側Ｂには、パッキン５０を介して透明板５１が配置されている。
【００４７】
ケーシング５２は例えば金属板等からなり、有底の箱状に形成されている。ケーシング５２の底部（前面側Ｂ）には、開口部５３が形成されている。開口部５３を介して、透明板５１および液晶パネル１７が、使用者に対して、見える様に構成されている。
【００４８】
ケーシング５２の側面には、孔が形成され、ボルトはこの孔を貫通し、フレーム３２に設けられ、ネジ切りされた孔に固定されている。ケーシング５２は、フレーム３２および液晶パネル１７を覆う様に設けられている。
【００４９】
後板５４は例えば金属板等からなり、ボルトは、後板５４に形成された孔を貫通し、フレーム板２７，２８，２９，３０の上面に位置する、ネジ切りされた孔に固定されている。この様に、後板５４は、ケーシング５２の開放された後面側Ａに固定されている。
【００５０】
また、図２において、後板５４の下部には、下部通気孔５５が形成され、後板５４の上部には、上部通気孔（図示せず）が設けられている。この上部通気孔は冷却用ファン４４，４６の上空（後面側Ａ）に位置する様に、形成されている。
【００５１】
各取付板３９ａ，３９ｂ，３９ｃ，３９ｄに形成された各取付孔４０ａ，４０ｂ，４０ｃ，４０ｄの上空（後面側Ａ）に位置する様に、後板５４には、複数の孔が形成されている。上述した様に、これらのフレーム３２と、ケーシング５２と、後板５４等により、本体５６は構成されている。
【００５２】
フレーム板２７と、フレーム板２９と、補強板３３と、補強板３４と、後板５４と、支持板４７，４８，４９等により、略閉じられた（下部通気孔５５と上部通気孔があるが）部屋５７が構成されている。
【００５３】
冷却用ファン４４，４６は、この部屋５７の一部に配置され、制御基板９，１２，２０と電源基板２３，２４は、この部屋５７の他部に配置されている。
【００５４】
上記構成の特徴を、以下にまとめる。本体５６を設ける。本体５６内の前面側Ｂに固定され、入力された映像信号により表示される液晶パネル１７を設ける。本体５６内の後面側Ａに固定され、本体５６を補強する複数の補強板３３，３４を設ける。各補強板３３，３４により囲まれた部屋５７の一部に設けられた冷却用ファン４４，４６を設ける。部屋５７の他部に配置され、映像信号用の制御基板９，１２，２０及び／又は電源基板２３，２４とを設ける。
【００５５】
更に、液晶パネル１７のバックライトを駆動するインバータ２５，２６を設ける。インバータ２５，２６の一部分又は全部を、部屋５７の他部に配置する。なお、図２の例では、インバータ２５，２６の一部分が部屋５７の他部に配置されている。以上の部品により、この表示装置１は構成されている。
【００５６】
次に、主に図３に従い、この表示装置１が横配置された状態を説明する。図３において、スタンド５８は、水平部５９と、垂直部６０と、壁板６１等により構成されている。
【００５７】
水平部５９は複数の角パイプ等が組み立てられたものであり、地面又は地面上の据え置き台（図示せず）上に配置される。垂直部６０は複数の角パイプ等が組み立てられたものであり、水平部５９に対し、垂直に位置する様に、水平部５９等に固定されている。
【００５８】
壁板６１は例えば、箱状に形成され、その縁部に、左フランジと、右フランジ６２と、上フランジと、下フランジが形成されている。壁板６１の箱部はボルトにより、垂直部６０の取付面に固定されている。
【００５９】
各フランジには、複数の孔が形成されている。ボルト６３，６４は各々、右フランジ６２の孔を貫通し、表示装置１に設けられた取付板３９ａに形成され、ネジ切りされた、孔４０ａ，４０ａに固定される。
【００６０】
ボルト６５，６５は各々、右フランジ６２の孔を貫通し、表示装置１に設けられた取付板３９ｂに形成され、ネジ切りされた孔４０ｂ，４０ｂに固定される。
【００６１】
同様に、２個のボルト（図示せず）は各々、左フランジの孔を貫通し、表示装置１に設けられた取付板３９ｃに形成され、ネジ切りされた孔４０ｃ，４０ｃに固定される。
【００６２】
また、２個のボルト（図示せず）は各々、左フランジの孔を貫通し、表示装置１に設けられた取付板３９ｄに形成され、ネジ切りされた孔４０ｄ，４０ｄに固定される。
【００６３】
この様にして、複数の締結部品（ボルト６３，６４，６５，６６等のこと）が壁板６１に形成された複数の孔に選択して（即ち、右フランジ６２の孔と、左フランジの孔のこと）貫通され、取付孔４０ａ，４０ｂ，４０ｃ，４０ｄに締結（固定）される事により、表示装置１は横配置される。
【００６４】
次に、図１ないし図３に従い、表示装置１の動作を説明する。使用者はプラグ２１を電源コンセント（図示せず）に挿入し、パソコンの出力端子を入力手段１３に接続し、運転スイッチ（図示せず）を押す。
【００６５】
この時、パソコンからの映像信号は、メイン基板２０により画像データに変換され、液晶パネル１７は、映像信号に従う表示を行う。また、電源基板２３，２４にも電圧が印加され、インバータ２５，２６にも電圧が印加され、冷却用ファン４４，４６にも電圧が印加される。
【００６６】
その結果、電源基板２３，２４上の電気部品と、制御基板９，１２，２０上の電気部品と、インバータ２５，２６等は、温度上昇し始める。
【００６７】
この時、冷却用ファン４６の吸引により、表示装置１の外の空気Ｃは、後板５４の下部通気孔５５を通り、部屋５７に入り、コネクタ基板２２を冷却し、電源基板２４上の電気部品を冷却し、インバータ２６を冷却し、冷却用ファン４６の吸引口を通り、吐出口を通り、後板５４の上部通気孔から、外部へ吐出される。
【００６８】
また、冷却用ファン４４の吸引により、表示装置１の外の空気Ｄは、下部通気孔５５を通り、部屋５７に入り、制御基板９，１２，２０上の電気部品を冷却しインバータ２５を冷却し、冷却用ファン４４の吸引口を通り、吐出口を通り、後板５４の上部通気孔から、外部へ吐出される。
【００６９】
次に、主に図４に従い、この表示装置１が縦配置された状態を説明する。図４において、スタンド５８は、図３のものと同一である。
【００７０】
ボルト６７は、壁板６１の上フランジ６８の孔を貫通し、表示装置１に設けられた取付板３９ａの左の孔４０ａに固定される。３個のボルト（図示せず）は、上フランジ６８の各孔を貫通し、取付板３９ａの右の孔４０ａと、取付板３９ｂの左右の孔４０ｂ，４０ｂに固定される。
【００７１】
同様に、ボルト６９は、壁板６１の下フランジ７０の孔を貫通し、取付板３９ｃの左の孔４０ｃに固定される。３個のボルト（図示せず）は下フランジ７０の各孔を貫通し、取付板３９ｃの右の孔４０ｃと、取付板３９ｄの左右の孔４０ｄ，４０ｄに固定される。
【００７２】
この様にして、複数の締結部品（ボルト６７，６９等のこと）が壁板６１に形成された複数の孔に選択して（即ち、上フランジ６８の孔と、下フランジ７０の孔のこと）貫通され、取付孔４０ａ，４０ｂ，４０ｃ，４０ｄに締結（固定）される事により、表示装置１は縦配置される。
【００７３】
次に、図１、図２、図４に従い、表示装置１の動作を説明する。この時、横配置の状態と同様に、運転が開始されたものとする。
【００７４】
この時、冷却用ファン４６の吸引により、表示装置１の外の空気Ｃは、後板５４の下部通気孔５５を通り、部屋５７に入り、コネクタ基板２２を冷却し、電源基板２４上の電気部品を冷却し、インバータ２６を冷却し、冷却用ファン４６の吸引口を通り、吐出口を通り、後板５４の上部通気孔から、外部へ吐出される。
【００７５】
また、冷却用ファン４４の吸引により、表示装置１の外の空気Ｄは、下部通気孔５５を通り、部屋５７に入り、制御基板９，１２，２０上の電気部品を冷却しインバータ２５を冷却し、冷却用ファン４４の吸引口を通り、吐出口を通り、後板５４の上部通気孔から、外部へ吐出される。
【００７６】
【発明の効果】
請求項１の本発明では、本体と、前記本体内の前面側に固定され、入力された映像信号により表示される液晶パネルと、前記本体内の後面側に固定され、前記本体を補強する複数の補強板と、各補強板により囲まれた部屋の一部に設けられた冷却用ファンと、前記部屋の他部に設けられ、前記映像信号用の制御基板及び／又は電源基板とを具備した。この様に、補強板により囲まれた部屋に、冷却用ファンと、制御基板及び／又は電源基板を設けるので、上記基板上の電気部品は従来に比べ、接触する空気量が増すので、冷却効率が向上する。その結果、上記基板および基板上の電気部品の温度上昇を抑制できる。また、補強板により本体を補強しているので、本体は頑丈となり、本体に収納され、固定される液晶パネルに、不所望の外力が加わりにくい。
【００７７】
請求項２の本発明では、前記液晶パネルのバックライトを駆動するインバータを設け前記インバータの一部分又は全部を、前記部屋の他部に配置した。上記構成により、インバータは、冷却用ファンが吸引する空気量にて冷却されるので、インバータの温度上昇を抑制する事ができる。
【００７８】
請求項３の本発明では、前記本体は、フレームと、ケーシングと、後板とにより構成され、前記フレームは、前面側と後面側が開放した枠状に形成され、前記補強板は前記フレームの相対する辺に、後面側で固定され、前記補強板より前面側に位置する前記液晶パネルは、前記フレームの辺に、前面側で固定され、前記ケーシングは、前記フレームおよび前記液晶パネルを覆う様に設けられ、前記後板は前記ケーシングの開放された後面側に固定された。この様に、補強板はフレームの相対する辺に、後面側で固定されるので、フレームは頑丈となり、フレームの固定される液晶パネルに、不所望の外力が加わりにくい。
【００７９】
請求項４の本発明では、前記補強板に複数の取付孔を設け、又は、複数の取付孔が形成された取付板を前記補強板に取付け、複数の締結部品が壁板に形成された複数の孔に選択して貫通され、前記取付孔に締結される事により、前記表示装置は、縦配置又は横配置できる様に構成された。この様に、壁板に形成された複数の孔を選択して、縦用と横用において、締結部品にて締結する事により、大型の表示装置でも、縦配置又は横配置が容易にできる。
【００８０】
請求項５の本発明では、制御基板及び／又は前記電源基板は、前記冷却用ファンよりも前面側に配置され、前記冷却用ファンは前面側から空気を吸込み、後面側へ空気を吐出する。上記構成により、冷却用ファンの吸込み口である前面側に位置する制御基板及び／又は電源基板は、より一層、冷却用ファンによる空気の流れに触れる量が増える。故に、これらの基板上の電気部品の温度上昇は更に、抑制される。
【図面の簡単な説明】
【図１】本発明の実施の形態に係る表示装置１のブロック図である。
【図２】後板を部分的に外した時の、表示装置１の斜視図である。
【図３】横配置した時の、表示装置１の断面図である。
【図４】縦配置した時の、表示装置１の断面図である。
【符号の説明】
９，１２，２０  制御基板
１７  液晶パネル
２３，２４  電源基板
３３，３４  補強板
４４，４６  冷却用ファン
５６  本体
５７  部屋
【図１】
2004246102.tif 000003
【図２】
2004246102.tif 000004
【図３】
2004246102.tif 000005
【図４】
2004246102.tif 000006